(57)【要約】【構成】ディスク装置１０はディスク２２を含み、このディスク２２としてはＤＶＤ−ＲＷ或いはＤＶＤ＋ＲＷを装着することができる。たとえば、ディスク２２の記録面から反射されるレーザ光に基づいてウォブル信号を検出し、ウォブル信号からプリピット信号の有無を判断する。そして、プリピット信号が有る場合には、ディスク２２がＤＶＤ−ＲＷであると判別する。一方、プリピット信号が無い場合には、ディスク２２がＤＶＤ＋ＲＷであると判別する。【効果】プリピット信号の有無のみでディスクの種類を判別できるので、簡単にディスクの種類を判別することができる。【選択図】　図１
2004103190.tif 000002
【特許請求の範囲】
【請求項１】
ＤＶＤ−ＲＷまたはＤＶＤ＋ＲＷのいずれかを判別するディスクの種類判別方法であって、
（ａ）　ディスクの記録面に記録されたウォブル信号を検出し、
（ｂ）　検出したウォブル信号からプリピット信号の有無を判断し、そして
（ｃ）　プリピット信号の有無に応じて前記ディスクの種類がＤＶＤ−ＲＷであるかＤＶＤ＋ＲＷであるかを判別する、ディスクの種類判別方法。
【請求項２】
前記ステップ（ｂ）　は、（ｂ−１）　検出されたウォブル信号のレベルを所定の閾値と比較するステップ、（ｂ−２）　前記ウォブル信号のレベルが前記所定の閾値よりも大きいとき前記プリピット信号が有ると判断するステップ、および（ｂ−３）　前記ウォブルのレベルが前記所定の閾値よりも小さいとき前記プリピット信号が無いと判断するステップを含み、
前記ステップ（ｃ）　は、（ｃ−１）　前記プリピット信号が有るとき前記デスクの種類をＤＶＤ−ＲＷと判別するステップ、および（ｃ−２）　前記プリピット信号が無いとき前記ディスクの種類をＤＶＤ＋ＲＷと判別するステップを含む、請求項１記載のディスクの種類判別方法。
【請求項３】
ＤＶＤ−ＲＷまたはＤＶＤ＋ＲＷのいずれかを判別し、判別したディスクの種類に応じて記録再生を実行するディスク装置であって、
前記ディスクの記録面に記録されたウォブル信号を検出する検出手段、
前記検出手段によって検出されたウォブル信号にプリピット信号が含まれるかどうかを判断する判断手段、および
前記判断手段の判断結果に応じて前記ディスクの種類がＤＶＤ−ＲＷであるかＤＶＤ＋ＲＷであるかを判別する判別手段を備える、ディスク装置。
【請求項４】
前記検出手段によって検出されたウォブル信号のレベルを所定の閾値と比較する比較手段をさらに備え、
前記判断手段は、前記ウォブル信号のレベルが前記所定の閾値より大きいとき前記プリピット信号が有ると判断し、前記ウォブル信号のレベルが前記所定の閾値より小さいとき前記プリピット信号が無いと判断し、
前記判別手段は、前記プリピット信号が含まれるとき前記ディスクの種類をＤＶＤ−ＲＷと判別し、前記プリピット信号が含まれないとき前記ディスクの種類をＤＶＤ＋ＲＷと判別する、請求項３記載のディスク装置。
【発明の詳細な説明】
【０００１】
【産業上の利用分野】
この発明はディスクの種類判別方法およびディスク装置に関し、特にたとえば、ＤＶＤ−ＲＷまたはＤＶＤ＋ＲＷのいずれかを判別し、判別したディスクの種類に応じて記録再生を実行する、ディスクの種類判別方法およびディスク装置に関する。
【０００２】
【従来の技術】
従来のこの種のディスク装置の一例が特許文献１に開示される。この従来技術のディスク装置では、ディスクの記録面にウォブルが有るかどうかを判断するとともに、ディスクの記録面の所定番地（２Ｆ２００番地或いは２Ｅ４００番地）に記録されたコントロールデータを読み取って、ディスクの種類を判別していた。
【０００３】
また、この種のディスク装置の他の一例が特許文献２に開示される。この他の従来技術のディスク判別装置は、ディスクを所定の回転数で回転駆動したときに検出した再生信号の周波数に基づいてディスクを判別していた。
【０００４】
【特許文献１】
特開２００２−７４６５８号（第５，６頁，第５図）
【特許文献２】
特開平９−１９８７７９号（第４，５頁，第４図）
【０００５】
【発明が解決しようとする課題】
しかし、前者の場合には、ウォブルの有無を判断するのみならず、コントロールデータを読み込むようにしてあるため、ディスクを判別するのに長時間を要していた。
【０００６】
また、後者の場合には、再生信号の周波数を検出するようにしてあるため、周波数の測定のための大規模なディジタル回路が必要であった。
【０００７】
それゆえに、この発明の主たる目的は、簡単にディスクの種類を判別できる、ディスクの種類判別方法およびディスク装置を提供することである。
【０００８】
【課題を解決するための手段】
第１の発明は、ＤＶＤ−ＲＷまたはＤＶＤ＋ＲＷのいずれかを判別するディスクの種類判別方法であって、（ａ）　ディスクの記録面に記録されたウォブル信号を検出し、（ｂ）　検出したウォブル信号からプリピット信号の有無を判断し、そして（ｃ）　プリピット信号の有無に応じてディスクの種類がＤＶＤ−ＲＷであるかＤＶＤ＋ＲＷであるかを判別する、ディスクの種類判別方法である。
【０００９】
第２の発明は、ＤＶＤ−ＲＷまたはＤＶＤ＋ＲＷのいずれかを判別し、判別したディスクの種類に応じて記録再生を実行するディスク装置であって、ディスクの記録面に記録されたウォブル信号を検出する検出手段、検出手段によって検出されたウォブル信号にプリピット信号が含まれるかどうかを判断する判断手段、および判断手段の判断結果に応じてディスクの種類がＤＶＤ−ＲＷであるかＤＶＤ＋ＲＷであるかを判別する判別手段を備える、ディスク装置である。
【００１０】
【作用】
ディスク装置には、ＤＶＤ−ＲＷ或いはＤＶＤ＋ＲＷのディスクを装着することができる。たとえば、ディスクの記録面から反射されるレーザ光に基づいてウォブル信号を検出し、ウォブル信号からプリピット信号の有無を判断する。そして、プリピット信号の有無に応じてディスクの種類がＤＶＤ−ＲＷであるか、または、ＤＶＤ＋ＲＷであるかを判別する。
【００１１】
たとえば、ウォブル信号のレベルが所定の閾値よりも大きいかどうかを比較し、比較した結果、ウォブル信号のレベルが所定の閾値よりも大きい場合には、プリピット信号が有ると判断し、逆に、ウォブル信号のレベルが所定の閾値よりも小さい場合には、プリピット信号が無いと判断する。そして、プリピット信号が有れば、ディスクがＤＶＤ−ＲＷであると判別し、逆に、プリピット信号が無ければ、ディスクがＤＶＤ＋ＲＷであると判別する。
【００１２】
【発明の効果】
この発明によれば、プリピット信号の有無でディスクの種類を判別するので、簡単にディスクの種類を判別することができる。
【００１３】
この発明の上述の目的，その他の目的，特徴および利点は、図面を参照して行う以下の実施例の詳細な説明から一層明らかとなろう。
【００１４】
【実施例】
図１を参照して、この実施例のディスク装置１０は光ピックアップ１２を含み、この光ピックアップ１２には対物レンズ１４が設けられる。この対物レンズ１４は、トラッキングアクチュエータ１６およびフォーカスアクチュエータ１８によって支持される。レーザダイオード２０から放出されたレーザ光は、図示しない光学系および対物レンズ１４を介してＤＶＤ−ＲＷ或いはＤＶＤ＋ＲＷのようなディスク２２の記録面に照射される。
【００１５】
なお、ディスク２２はターンテーブル２４の上に搭載（チャッキング）され、スピンドルモータ２６によって回転される。たとえば、ディスク２２はＣＬＶ（Ｃｏｎｓｔａｎｔ　Ｌｉｎｅａｒ　Ｖｅｌｏｃｉｔｙ）方式で回転可能であり、回転数は光ピックアップ１２が内周から外周へ移動するにつれて低下する。
【００１６】
また、ディスク２２の記録面には、凸状のランドトラックおよび凹状のグルーブトラックが１トラック毎に交互に形成される。
【００１７】
図２（Ａ）および図２（Ｂ）を参照して、記録面に照射されるレーザ光は、具体的には１つのメインビームＭと２つのサブビームＳ１およびＳ２とからなる。このうち、メインビームＭは所望のトラック（グルーブトラック）に照射され、サブビームＳ１およびＳ２は所望のトラックの両側に隣接するトラック（ランドトラック）に照射される。
【００１８】
なお、簡単のため、図２（Ａ）においては、ＤＶＤ＋ＲＷのディスク２２についてのみ示してあるが、ＤＶＤ−ＲＷのディスク２２の場合には所定周期（位置）毎にランドプリピット（ＬＰＰ）が形成される。
【００１９】
記録面で反射されたレーザ光は、対物レンズ１４および光学系を介して光検出器２８に照射される。メインビームＭは光検出素子２８ａ〜２８ｄによって検出され、サブビームＳ１は光検出素子２８ｅおよび２８ｆによって検出され、そして、サブビームＳ２は光検出素子２８ｇおよび２８ｈによって検出される。
【００２０】
光検出素子２８ａ〜２８ｈで検出されたメインビームＭ、サブビームＳ１およびサブビームＳ２は、それぞれ、電流に変換され、マトリックスアンプ３０に出力される。マトリックスアンプ３０は、光検出器２８（光検出素子２８ａ〜２８ｈ）の出力に対して数１〜数４に示すような周知の演算処理を施し、トラッキングエラ（ＴＥ）信号，フォーカスエラ（ＦＥ）信号、ウォブル（蛇行）信号およびＲＦ信号を、それぞれ検出する。ただし、ＴＥ信号はＤＰＰ（Ｄｉｆｆｅｒｎｔｉａｌ　Ｐｕｓｈ−Ｐｕｌｌ）方式で検出され、ウォブル信号はＰＰ（Ｐｕｓｈ−Ｐｕｌｌ）方式で検出される。
【００２１】
【数１】
ＴＥ＝｛（Ａ＋Ｂ）−（Ｃ＋Ｄ）｝−α｛（Ｅ＋Ｈ）−（Ｆ＋Ｇ）｝
【００２２】
【数２】
ＦＥ＝（Ａ＋Ｃ）−（Ｂ＋Ｄ）
【００２３】
【数３】
ウォブル＝（Ａ＋Ｂ）−（Ｃ＋Ｄ）
【００２４】
【数４】
ＲＦ＝Ａ＋Ｂ＋Ｃ＋Ｄ
なお、数１〜数４における“Ａ”〜“Ｈ”は、それぞれ光検出素子２２ａ〜２２ｈの出力に対応する。
【００２５】
図１に戻って、マトリックスアンプ３０で検出されたＴＥ信号、ＦＥ信号およびウォブル信号は、それぞれ、図示しないＡ／Ｄ変換器を介してＤＳＰ３２に与えられる。ＤＳＰ３２は、ディジタル変換されたＴＥ信号に基づいてトラッキングサーボおよびスレッドサーボを実行し、トラッキングアクチュエータ制御信号およびスレッドモータ制御信号を生成する。生成されたトラッキングアクチュエータ制御信号およびスレッドモータ制御信号は、それぞれ、ドライバ３４ｂおよびドライバ３４ｃによって、トラッキングアクチュエータ制御電圧およびスレッド制御電圧に変換され、トラッキングアクチュエータ１６およびスレッドモータ３６に与えられる。これによって、光学レンズ１４の径方向（スレッド方向）の位置と、スレッドモータ３６の回転速度および回転方向とが制御される。ただし、スレッドモータ３６は、周知のとおり、ラックピニオン方式等により光ピックアップ１２に連結されるため、スレッドサーボにより、光ピックアップ１２の移動方向（移動速度）および位置（変位）が制御される。
【００２６】
また、ＤＳＰ３２は、ディジタル変換されたＦＥ信号に基づいてフォーカスサーボを実行し、フォーカス制御信号を生成する。生成されたフォーカス制御信号はドライバ３４ａによってフォーカス制御電圧に変換され、フォーカスアクチュエータ１８に与えられる。これによって、フォーカスつまり対物レンズ１４の光軸上の位置（レンズ位置）が調整される。つまり、フォーカス方向の位置が調整される。
【００２７】
さらに、ＤＳＰ３２は、ディジタル変換されたウォブル信号に基づいてスピンドルサーボ（以下、「ＣＬＶサーボ」という。）を実行し、スピンドル制御信号を生成する。生成されたスピンドル制御信号はドライバ３４ｄによってスピンドルモータ制御電圧に変換され、スピンドルモータ２６に与えられる。これによって、スピンドルモータ２６（ターンテーブル２４）すなわちディスク２２の回転速度および回転方向が調整される。
【００２８】
ただし、ディスク２２をディスク装置１０に装着した当初では、ディスク２２の信号すなわちウォブル信号を正確に読み取ることができないため、ＦＧパルスによるスピンドルサーボが実行される。つまり、スピンドルモータ２６の回転数がエンコーダ（図示せず）によってパルス変換され、これにより生成されたＦＧパルスがＤＳＰ３２に与えられる。ＤＳＰ３２は、与えられたＦＧパルスに基づいてスピンドルモータ２６の回転数を検出し、所望の回転数になるように、スピンドル制御信号を生成する。生成されたスピンドル制御信号はドライバ３４ｄによってスピンドルモータ制御電圧に変換され、スピンドルモータ２６に与えられる。
【００２９】
このように、ＦＧパルスに基づいてスピンドルサーボ（ＦＧサーボ）を実行することもできるが、ＣＬＶサーボに比べて回転制御が粗い。
【００３０】
また、マトリックスアンプ３０で検出されたＲＦ信号（再生信号）は、エンコーダ／デコーダ３８に与えられる。なお、エンコーダ／デコーダ３８は、エンコードとデコーダとを一体的に形成したＩＣ等である。このエンコーダ／デコーダ３８は、ＣＰＵ４０の指示の下、ＤＶＤ＋ＲＷアドレス検出回路（デコーダ）４２或いはＤＶＤ−ＲＷアドレス検出回路（デコーダ）４４から与えられるアドレス情報に従ってＲＦ信号をデコードし、インターフェイス（Ｉ／Ｆ）を介して図示しないＰＣのようなホストコンピュータに出力する。
【００３１】
デコーダ４２は、ＤＶＤ＋ＲＷのディスク２２を再生した場合に得られるウォブル信号の位相が反転する位置（反転位置）を検出し、その反転位置に基づいて検出したアドレス情報および記録時におけるタイミング情報をエンコーダ／デコーダ３８に与える。
【００３２】
また、デコーダ４４は、ＤＶＤ−ＲＷのディスク２２を再生した場合に得られるウォブル信号に含まれるプリピット信号を検出し、このプリピット信号に基づいて検出したアドレス情報および記録時におけるタイミング情報をエンコーダ／デコーダ３８に与える。
【００３３】
このデコーダ４２およびデコーダ４４は、スイッチＳＷによって切り換えられる。このスイッチＳＷは、ディスク装置１０に装着されたディスク２２の種類に応じて、ＣＰＵ４０によって切り換えられる。
【００３４】
また、エンコーダ／デコーダ３８は、ホストコンピュータから入力される信号（記録信号）をエンコードしてピット信号を生成し、このピット信号をデコーダ４２或いはデコーダ４４からのアドレス情報およびタイミング情報に従ってレーザ駆動回路４６に与える。レーザ駆動回路４６は、ＣＰＵ４０の指示の下、エンコーダ／デコーダ３８から与えられるピット信号に従ってレーザダイオード２０を駆動する。したがって、ホストコンピュータから与えられた記録信号がディスク２２の記録面の所望の位置（アドレス）に記録される。
【００３５】
このように、ディスク２２から信号を再生したり、ディスクに信号を記録したりすることができるが、ディスク装置１０に装着されるディスク２２はＤＶＤ−ＲＷ或いはＤＶＤ＋ＲＷであるため、何ら手当てを施さない場合には、信号の記録再生を適切に実行することができない。つまり、ＤＶＤ−ＲＷのウォブル信号の周期（ウォブル周期）が１８６Ｔ（Ｔはデータ周期である。）であるのに対し、ＤＶＤ＋ＲＷのウォブル周期は３２Ｔであるため、たとえば、ＤＶＤ−ＲＷのディスク２２が装着されているにも拘わらず、ＤＶＤ＋ＲＷのディスク２２が装着されていると判断してしまった場合には、ＣＬＶサーボを正確に実行することができず、スピンドルモータ２６が暴走してしまう恐れがあるからである。
【００３６】
そこで、この実施例では、ディスク装置１０の主電源がオンされたり、ディスク２２が交換（装着）されたりした場合に、ディスク２２がＤＶＤ−ＲＷであるかＤＶＤ＋ＲＷであるかを判別するようにしてある。たとえば、ディスク２２の種類は、ＬＰＰ（プリピット信号）の有無に応じて判別するようにしてある。つまり、図３（Ａ）および図３（Ｂ）に示すように、ＤＶＤ＋ＲＷのディスク２２では、ウォブル信号のみが検出されるのに対し、ＤＶＤ−ＲＷのディスク２２では、ウォブル信号に所定周期でプリピット信号が含まれる（重畳される）。
【００３７】
なお、図３（Ａ）に示すように、ＤＶＤ＋ＲＷのディスク２２では、ウォブル信号は所定周期で位相が反転される。
【００３８】
これは、ディスク２２の構造の一部を示す図４（Ａ）および図４（Ｂ）を参照して分かるように、ＤＶＤ＋ＲＷのディスク２２では、図４（Ａ）に示すように、トラック（グルーブトラックおよびランドトラック）はウォブルのみで形成されるのに対し、ＤＶＤ−ＲＷのディスク２２では、図４（Ｂ）に示すように、隣接するグルーブトラックの間のランドトラックに所定周期（所定間隔）でＬＰＰが形成されるからである。したがって、上述したように、プリピット信号の有無を検出するようにしてある。
【００３９】
なお、厳密には、ディスク２２は、ＰＣ基板、反射層、保護層および記録層が積層されて形成されるが、簡単のため、図４では省略してある。
【００４０】
つまり、図１に示すように、マトリックスアンプ３０から出力されるウォブル信号はコンパレータ４８に入力され、ウォブル信号のレベルが所定の閾値（図３（Ａ）および図３（Ｂ）参照）より大きいか否かでプリピット信号の有無が判別される。具体的には、ウォブル信号のレベルが所定の閾値よりも大きい場合には、コンパレータ４８からハイレベルの信号がＣＰＵ４０に入力され、これにより、ＣＰＵ４０はディスク２２がＤＶＤ−ＲＷであると判別する。一方、ウォブル信号のレベルが所定の閾値よりも小さい場合には、コンパレータ４８からローレベルの信号がＣＰＵ４０に入力され、これにより、ＣＰＵ４０は、ディスク２２がＤＶＤ＋ＲＷであると判別する。
【００４１】
なお、所定の閾値は、実験等により予め得られる値である。また、後述するように、ディスク２２の種類を判別する時には、ＦＧサーボでスピンドルモータ２６が回転駆動されるため、所定の閾値はＦＧサーボのようなラフな回転制御においてもノイズの影響を受けない値に決定される。また、プリピット信号は、正側（図面の上方側）にも検出されるため、図３（Ａ）および図３（Ｂ）においては、正側と負側の両側に閾値を設けるように示してあるが、実際には、ウォブル信号の絶対値をコンパレータ４８に入力するようにして、１つ（正側）の閾値と比較するようにしてある。
【００４２】
具体的には、ＣＰＵ４０が図５に示すフロー図に従ってディスクの種類判別処理を実行する。たとえば、ディスク装置１０の主電源がオンされたり、ディスク２２が交換（装着）されると、ＣＰＵ４０は処理を開始し、ステップＳ１でスピンドルをオンし、ＦＧサーボを実行する。つまり、ＤＳＰ３２に対してスピンドルモータ２６の駆動およびＦＧサーボの実行を指示し、これに応じて、ＤＳＰ３２がＦＧパルスに基づいてドライバ３４ｄを駆動する。つまり、スピンドルモータ２６（ディスク２２）が所望の回転方向および所望の回転数で回転するように制御される。
【００４３】
次にステップＳ３では、レーザをオンし、ステップＳ５ではフォーカスをオンし、ステップＳ７ではトラッキングをオンし、そして、ステップＳ９ではスレッドをオンする。つまり、ＣＰＵ４０は、レーザ駆動回路４６にレーザダイオード２０のオンを指示し、続いて、ＤＳＰ３２に対してフォーカスサーボ、トラッキングサーボおよびスレッドサーボの実行を指示する。
【００４４】
続いて、ステップＳ１１では、ウォブル信号のレベルが所定の閾値よりも大きいかどうかを判断する。つまり、コンパレータ４８から入力される信号がハイレベルかローレベルかを判断する。ステップＳ１１で“ＹＥＳ”であれば、つまりコンパレータ４８から入力される信号がハイレベルであれば、ウォブル信号のレベルが所定の閾値よりも大きいと判断し、ステップＳ１３でデコーダ４２を選択する。つまり、ディスク２２の種類をＤＶＤ−ＲＷと判別して、スイッチＳＷをデコーダ４２側に切り換える。そして、ステップＳ１５で、ＤＶＤ−ＲＷについてのＣＬＶサーボのパラメータ（ＣＬＶパラメータ）をＤＳＰ３２に設定して、処理を終了する。
【００４５】
一方、ステップＳ１１で“ＮＯ”であれば、つまりコンパレータ４８から入力される信号がローレベルであれば、ウォブル信号のレベルが所定の閾値よりも小さいと判断し、ステップＳ１７でデコーダ４４を選択する。つまり、ディスク２２の種類をＤＶＤ＋ＲＷと判別して、スイッチＳＷをデコーダ４４側に切り換える。そして、ステップＳ１９で、ＤＶＤ＋ＲＷについてのＣＬＶパラメータをＤＳＰ３２に設定して、処理を終了する。
【００４６】
このように、ディスク２２の種類を判別し、その判別結果に応じてデコーダ４２或いはデコーダ４４が選択されるとともに、ディスク２２の種類に応じたＣＬＶパラメータがＤＳＰ３２に設定されるため、その後の記録／再生が適切に実行される。
【００４７】
なお、フロー図においては省略してあるが、上述のように、ＬＰＰはウォブルに所定周期毎に形されるため、この所定周期よりも長い時間だけウォブル信号を検出して、ステップＳ１１の判断処理が実行される。
【００４８】
この実施例によれば、プリピットの有無に応じてディスクの種類を判別するので、ディスクの種類の判別が簡単である。したがって、ディスクの記録再生を短時間で開始することができる。
【図面の簡単な説明】
【図１】この発明の一実施例を示すブロック図である。
【図２】（Ａ）はメインビームおよびサブビームがディスクの記録面に照射されている状態を示す図解図であり、（Ｂ）は光検出気の構成を示す図解図である。
【図３】（Ａ）はＤＶＤ＋ＲＷから読み取られるウォブル信号を示す図解図であり、（Ｂ）はＤＶＤ−ＲＷから読み取られるウォブル信号を示す図解図である。
【図４】（Ａ）はＤＶＤ＋ＲＷのディスク構造の一部を示す図解図であり、（Ｂ）はＤＶＤ−ＲＷのディスク構造の一部を示す図解図である。
【図５】図１実施例に示すＣＰＵのディスクの判別処理を示すフロー図である。
【符号の説明】
１０　…ディスク装置
１２　…光ピックアップ
３０　…マトリックスアンプ
３２　…ＤＳＰ
４０　…ＣＰＵ
４２　…ＤＶＤ＋ＲＷアドレス検出回路（デコーダ）
４４　…ＤＶＤ−ＲＷアドレス検出回路（デコーダ）
４８　…コンパレータ
【図１】
2004103190.tif 000003
【図２】
2004103190.tif 000004
【図３】
2004103190.tif 000005
【図４】
2004103190.tif 000006
【図５】
2004103190.tif 000007